【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
複数のレイヤーを含み、各々のレイヤーが少なくとも1つのサブレイヤー(sub-layer)を含む映像のインターレイヤー予測(inter-layer prediction)方法において、
第２のレイヤーのインターレイヤー予測のために用いることができる第１のレイヤーのための最大時間的識別子に対する情報がビットストリームに含まれているか否かを表示する指示子を復号化する段階；
前記指示子の少なくとも一つと、前記最大時間的識別子に対する前記情報に基づいて、最大時間的識別子を導出する段階；
前記最大時間的識別子に基づいて、前記第２のレイヤーの前記現在ピクチャーのインターレイヤー予測のために用いられる前記第１のレイヤーから参照ピクチャーを導出する段階；
前記参照ピクチャーに基づいて、前記現在ピクチャーの前記インターレイヤー予測を実行する段階；
を含み、
前記第１のレイヤーのピクチャーであって、前記最大時間的識別子より大きい時間的識別子を有するものは、前記第２のレイヤーの前記現在ピクチャーの前記インターレイヤー予測のためには用いられないことを特徴とするインターレイヤー予測方法。
【請求項２】
前記指示子が、前記最大時間的識別子に対する情報が前記ビットストリームに含まれることを表示するとき、前記最大時間的識別子は、前記最大時間的識別子に対する情報を復号化することによって導出されることを特徴とする請求項1に記載のインターレイヤー予測方法。
【請求項３】
前記表示子が、前記最大時間的識別子に対する情報が前記ビットストリームに含まれないことを表示するとき、前記最大時間的識別子が、７として導出されることを特徴とする請求項1に記載のインターレイヤー予測方法。
【請求項４】
前記現在ピクチャーのインターレイヤー予測のために用いられる前記参照ピクチャーを導出する段階は、前記第１のレイヤーのピクチャーであって、前記第１のレイヤのための前記最大時間的識別子より大きい時間的識別子を有するものは、前記現在ピクチャーのインターレイヤー予測のための参照ピクチャーとして用いられないものと決定することを特徴とする請求項1に記載のインターレイヤー予測方法。
【請求項５】
前記現在ピクチャーのインターレイヤー予測のために用いられる前記参照ピクチャーを導出する段階は、前記第１のレイヤーのピクチャーであって、前記第１のレイヤーのための前記最大時間的識別子と同一又はより小さい時間的識別子を有するものは、前記現在ピクチャーのインターレイヤー予測のための参照ピクチャーとして用いられるものと決定することを特徴とする請求項1に記載のインターレイヤー予測方法。
【請求項６】
前記表示子の少なくとも一つと、前記最大時間的識別子に対する情報は、VPS(Video Parameter Sets)拡張(extention)シンタックス(syntax)を介してシグナリングされることを特徴とする請求項1に記載のインターレイヤー予測方法。
【請求項７】
複数のレイヤーを含み、各々のレイヤーが少なくとも1つのサブレイヤー(sub-layer)を含む映像のインターレイヤー予測(inter-layer prediction)装置において、
第２のレイヤーのインターレイヤー予測のために用いることが可能な第１のレイヤーのための最大時間的識別子に対する情報が、ビットストリームに含まれているか否かを表示する表示子を復号化し、前記表示子の少なくとも一つと、前記最大時間的識別子に対する前記情報に基づいて、最大時間的識別子を導出するエントロピー復号化部;及び
前記最大時間的識別子に基づいて、前記第２のレイヤーの現在ピクチャーのインターレイヤー予測のために用いられる前記第１のレイヤーから参照ピクチャーを導出し、前記参照ピクチャーに基づいて、前記現在ピクチャーの前記インターレイヤー予測を実行する予測部を含み、
前記第１のレイヤーのピクチャーであって、前記最大時間的識別子より大きい時間的識別子を有するものは、前記第２のレイヤーの前記現在ピクチャの前記インターレイヤー予測のために用いられないことを特徴とするインターレイヤー予測装置。
【請求項８】
前記指示子が、前記最大時間的識別子に対する情報が前記ビットストリームに含まれることを表示するとき、前記最大時間的識別子は、前記最大時間的識別子に対する前記情報を復号化することによって導出されることを特徴とする請求項7に記載のインターレイヤー予測装置。
【請求項９】
前記表示子が、前記最大時間的識別子に対する情報が前記ビットストリームに含まれないことを表示するとき、前記最大時間的識別子が、７として導出されることを特徴とする請求項7に記載のインターレイヤー予測装置。
【請求項１０】
前記予測部は、
前記第１のレイヤーのピクチャーであって、前記第１のレイヤのための前記最大時間的識別子より大きい時間的識別子を有するものは、前記現在ピクチャーのインターレイヤー予測のための参照ピクチャーとして用いられないものと決定することを特徴とする請求項7に記載のインターレイヤー予測装置。
【請求項１１】
前記予測部は、
前記第１のレイヤーのピクチャーであって、前記第１のレイヤーのための前記最大時間的識別子と同一又はより小さい時間的識別子を有するものは、前記現在ピクチャーのインターレイヤー予測のための参照ピクチャーとして用いられるものと決定することを特徴とする請求項7に記載のインターレイヤー予測装置。
【請求項１２】
前記表示子の少なくとも一つと、前記最大時間的識別子に対する情報は、VPS(Video Parameter Sets)拡張(extention)シンタックス(syntax)を介してシグナリングされることを特徴とする請求項7に記載のインターレイヤー予測装置。
【請求項１３】
複数のレイヤーを含み、各々のレイヤーが少なくとも1つのサブレイヤー(sub-layer)を含む映像のインターレイヤー予測 (inter-layer prediction)方法において、
第２のレイヤーの現在ピクチャーのインターレイヤー予測のために用いられる第１のレイヤーからの参照ピクチャーを決定する段階；
前記参照ピクチャーに基づいて、前記現在ピクチャーの前記インターレイヤー予測を実行する段階；
ビットストリームに含まれる最大時間的識別子に対する情報として、前記第１のレイヤーに対する最大時間的識別子を符号化するか否かを決定する段階；
前記決定に基づいて、前記最大時間的識別子に対する前記情報が符号化されるか否か、及び前記ビットストリームに含まれるか否かを表示する表示子を符号化する段階；
前記最大時間的識別子が前記第１のレイヤーに対して符号化されるべきと決定されるとき、前記最大時間的識別子に対する情報を符号化する段階；
を含み、
前記第１のレイヤーのピクチャーであって、前記最大時間的識別子より大きい時間的識別子を有するものは、前記現在ピクチャーの前記インターレイヤー予測のために用いられないことを特徴とするインターレイヤー予測方法。
【請求項１４】
ビットストリームを格納するためのコンピューターが読み取り可能な記録媒体であって、
複数のレイヤーを含み、各々のレイヤーが少なくとも1つのサブレイヤー(sub-layer)を含む映像のインターレイヤー予測 (inter-layer prediction)方法によって、前記ビットストリームが発生され、前記インターレイヤー予測方法は、
第２のレイヤーの現在ピクチャーのインターレイヤー予測のために用いられる第１のレイヤーからの参照ピクチャーを決定する段階；
前記参照ピクチャーに基づいて、前記現在ピクチャーの前記インターレイヤー予測を実行する段階；
ビットストリームに含まれる最大時間的識別子に対する情報として、前記第１のレイヤーに対する最大時間的識別子を符号化するか否かを決定する段階；
前記決定に基づいて、前記最大時間的識別子に対する前記情報が復号化されるか否か、及び前記ビットストリームに含まれるか否かを表示する表示子を符号化する段階；
前記最大時間的識別子が前記第１のレイヤーに対して符号化されるべきと決定されるとき、前記最大時間的識別子に対する前記情報を符号化する段階；
を含み、
前記第１のレイヤーのピクチャーであって、前記最大時間的識別子より大きい時間的識別子を有するものは、前記現在ピクチャーの前記インターレイヤー予測のために用いられないことを特徴とするコンピューターが読み取り可能な記録媒体。